(57)【要約】      （修正有）【課題】音量を一定以上に維持しつつ、弦の振動と胴体での共鳴を最適化し、高音側と低音側の音量及び音質のバランスに優れた弦楽器を提供する。【解決手段】テールピース５０の前方部には、基本周波数の高い弦が係止されている部位５２ｅから基本周波数の低い弦が係止されている部位５２ｇの方向に回動させる力が掛けられており、これによって、基本周波数の高い弦から駒に掛かる荷重が低減され、解放時の基本周波数の低い弦から駒に掛かる荷重が増大される。【選択図】図６
2017044737.tif 000002
【特許請求の範囲】
【請求項１】
中空箱状の胴体と、
前記胴体の先端部に設けられた棹と、
前記胴体の後端部上に設けられるテールピースと、
一端が前記棹の先端部に、他端が前記テールピースの前方部に係止され、前記棹の先端部とテールピースの前方部の間で間隔を配して張設される複数の弦と、
前記棹と前記テールピースの間で前記胴体上に立設され、前記複数の弦を支持して、前記複数の弦の振動を前記胴体に伝達する駒とを備え、
前期複数の弦の各々は解放時の基本周波数が異なり、前記基本周波数の順序に従って、前記棹及び前記胴体上に配列されており、
前記複数の弦が係止されているテールピースの前方部には、前記解放時の基本周波数の高い弦が係止されている部位から前記解放時の基本周波数の低い弦が係止されている部位の方向に回動させる力が掛けられており、これによって、前記解放時の基本周波数の高い弦から駒に掛かる荷重が低減され、前記解放時の基本周波数の低い弦から駒に掛かる荷重が増大されている弦楽器。
【請求項２】
前記テールピースの後方部はテールガットにより前記胴体の後端部に係止されており、前記テールピースの前方部に掛けられている力は前記テールガットにより掛けられる請求項１記載の弦楽器。
【請求項３】
前記テールピースの後方部には前記テールピースの幅方向に垂直壁が形成され、前記垂直壁には、幅方向に対称的に、前記テールガットの両端部が挿通されるテールガット挿通孔が２個形成され、前記テールピースの後方部側から前記テールガット挿通孔に挿通されたテールガットの両端部は結び目が形成されており、前記２個のテールガット挿通孔のうち、前記基本周波数が低い弦が係止されている側に位置する前記テールガット挿通孔に挿入されるテールガットは前記結び目から前記垂直壁に沿って延び、前記低い弦が係止されている側に位置する前記テールガット挿通孔の開口部と接触している請求項２記載の弦楽器。
【発明の詳細な説明】
【技術分野】
【０００１】
本発明は弦楽器に係り、特に、音量を一定以上に維持しつつ、弦の振動と胴体での共鳴を最適化し、高音側と低音側の音量及び音質のバランスを向上させることが可能な弦楽器に関する。
【背景技術】
【０００２】
バイオリン、ビオラ、チェロ、コントラバス等のテールピースを備えた従来の弦楽器の一例として、バイオリンの基本構造を説明する。図１４に示されるように、バイオリン１００は、中空箱状の胴体１１０と、本体の先端部に設けられた棹１２０と、弦１３０と、弦１３０の一端を係止するテールピース１４０と、弦１３０の振動を胴体１１０に伝達するための駒１５０を備えている。
【０００３】
胴体１１０は、表板１１２と裏板１１４と、これらを連結する側板１１６とを備え、中空の共鳴胴を形成している。
【０００４】
弦１３０は、胴体の表板の表面の後端から先端方向に向かって、右側から順にＥ線１３０ｅ、Ａ線１３０ａ、Ｄ線１３０ｄ、Ｇ線１３０ｇの４本が所定間隔を配して並べて張設されている。これらの弦は、右側から左側に向かって高音から低音になるように、解放時の基本周波数はＥ線が最も高く、Ａ線１３０ａ、Ｄ線１３０ｄ、Ｇ線１３０ｇの順で解放時の基本周波数が低くなっている。弦１３０の先端は、棹１２０の先端に設けたペグ１２２にそれぞれ巻き付けられ、後端はテールピース１４０に係止される。
【０００５】
テールピースの前方部には、４個の弦係止用穴１４２ｅ、１４２ａ、１４２ｄ、１４２ｇが形成され、これらの弦係止用穴１４２ｅ、１４２ａ、１４２ｄ、１４２ｇには、それぞれ、Ｅ線１３０ｅ、Ａ線１３０ａ、Ｄ線１３０ｄ、Ｇ線１３０ｇの４本の弦の後端が挿通されて係止される。
【０００６】
また、図１５に示されるように、テールピース１４０の後方部には２個のテールガット挿通孔１４４が形成されている。テールガット１５０の先端部は、後方からテールガット挿通孔１４４に挿通され、テールガット挿通孔１４４の前方から引き出されたテールガット１５０の先端に結び目１５２を形成することにより、テールガット１５０がテールピース１４０に係止される。テールピース１４０の後方部から外部に突出しているテールガット１５０のＵ字状部分は、図１４に示されるように、胴体１１０の最下端に設けられたエンドピン１１８に連結され、テールピース１４０を胴体１１０に固定することにより、弦１３０が胴体１１０の表板１１２上で所定の張力で張設される。
【０００７】
胴体１１０の表板１１２の表面の竿１２０とテールピース１４０の間には、４本の弦１３０を支持して、弦１３０の振動を胴体１１０に伝達するための駒（ブリッジ）１５０が立設されている。各々の弦１３０から駒１５０に掛かる荷重はＥ線１３０ｅが最も高く、Ａ線１３０ａ、Ｄ線１３０ｄ、Ｇ線１３０ｇの順で低くなっている。
【０００８】
このような構造を有するバイオリンは、弓で４本の弦を擦ること又は指で弦を弾くことによって弦を振動させ、その弦の振動を駒を通じて胴体１１０に伝え、共鳴させて音を出す。
【先行技術文献】
【特許文献】
【０００９】
【特許文献１】特開平０５−２７３９６３号公報
【特許文献２】特開２０００−２５９１４９号公報
【特許文献３】特開２０１５−７５７０２号公報
【発明の概要】
【発明が解決しようとする課題】
【００１０】
バイオリン等の絃楽器の演奏会場は、中世における個人のホールから現代におけるコンサートホールのように大規模化されている。これに伴い、絃楽器の音量を増大させることが要求されている。そのために、現在型のモダンバイオリンにおいては、バイオリンの表板の表面上に張設される弦の張力は従来型のバロックバイオリンと比べて高くなっている。
【００１１】
しかしながら、一般に、弦１３０の張力を大きくしすぎると、弦１３０から駒１５０に掛かる荷重及び駒１５０から胴体１１０に掛かる荷重が大きくなりすぎ、弦はきれいな形で振動できなくなると共に、胴体１１０の表面の振動を減少させ、音質を悪化させることがある。特に、弦の張力が高い高音側（Ｅ線１３０ｅ、Ａ線１３０ａ）ではこの傾向が強い。
【００１２】
一方、弦１３０の張力を低くしすぎると、絃楽器から発せられる音量が小さくなり、大規模な演奏会場での演奏に適さなくなる。また、弦１３０の振動を駒１５０を通じて胴体１１０に伝達しづらくなり、胴体１１０での共鳴が得られにくくなるといった問題がある。特に、弦の張力が低い低音側（Ｄ線１３０ｄ、Ｇ線１３０ｇ）ではこの傾向が強い。
【００１３】
本発明は上述した問題点を解決するためになされたものであり、弦の張力を一定以上に維持することにより、音量を一定以上に維持しつつ、弦の振動と胴体での共鳴を最適化し、高音側と低音側の音量及び音質のバランスの優れた弦楽器を提供することを目的とする。
【課題を解決するための手段】
【００１４】
上記目的を達成するため、本発明の弦楽器は、
中空箱状の胴体と、
前記胴体の先端部に設けられた棹と、
前記胴体の後端部上に設けられるテールピースと、
一端が前記棹の先端部に、他端が前記テールピースの前方部に係止され、前記棹の先端部とテールピースの前方部の間で間隔を配して張設される複数の弦と、
前記棹と前記テールピースの間で前記胴体上に立設され、前記複数の弦を支持して、前記複数の弦の振動を前記胴体に伝達する駒とを備え、
前期複数の弦の各々は解放時の基本周波数が異なり、前記基本周波数の順序に従って、前記棹及び前記胴体上に配列されており、
前記複数の弦が係止されているテールピースの前方部には、前記解放時の基本周波数の高い弦が係止されている部位から前記解放時の基本周波数の低い弦が係止されている部位の方向に回動させる力が掛けられており、これによって、前記解放時の基本周波数の高い弦から駒に掛かる荷重が低減され、前記解放時の基本周波数の低い弦から駒に掛かる荷重が増大されている。
【発明の効果】
【００１５】
本発明に係る弦楽器によれば、複数の弦が係止されているテールピースの前方部には、解放時の基本周波数の高い弦が係止されている部位から基本周波数の低い弦が係止されている部位の方向に回動させる力が掛けられている。これによって、基本周波数の高い弦から駒に掛かる荷重が低減され、基本周波数の低い弦から駒に掛かる荷重が増大されている。これによって、弦全体の音量を低下させることなく、基本周波数の高い高音側の弦の音質を改善し、弦の振動を効果的に胴体に伝達することができる。また、基本周波数の低い低音側の弦の振動をより効果的に胴体に伝達することができる。
【図面の簡単な説明】
【００１６】
【図１】本発明に係るバイオリンの斜視図である。
【図２】本発明に係るバイオリンの平面図である。
【図３】テールピースの裏面図である。
【図４】本発明に係るバイオリンの縦断面図である。
【図５】係止用治具の斜視図である。
【図６】本発明において、テールガットをテールピースに係止する方法を説明するためのテールピースの裏面図である。
【図７】本発明の作用を説明するためのテールピースの裏面図である。
【図８】本発明の作用を説明するためのテールピース、弦及び駒の平面図である。
【図９】本発明において、テールガットをテールピースに係止する他の方法を説明するためのテールピースの裏面図である。
【図１０】本発明の作用を説明するためのテールピースの裏面図である。
【図１１】本発明において、テールガットをテールピースに係止する他の方法を説明するためのテールピースの裏面図である。
【図１２】本発明の作用を説明するためのテールピースの裏面図である。
【図１３】実施例において、駒の脚部に掛かる荷重を測定する原理を説明するための図である。
【図１４】従来のバイオリンの斜視図である。
【図１５】従来のテールピースを示す裏面図である。
【発明を実施するための形態】
【００１７】
以下、図面を参照して本発明の実施形態について説明する。
【００１８】
図１及び図２は本発明に係るバイオリンを示す。図１及び図２に示されるように、バイオリン１０は、中空箱状の胴体（ボディ）２０と、胴体２０の先端部に設けられた棹３０と、胴体２０及び棹３０の表面に張設された弦（ガット）４０と、弦４０の一端を係止するテールピース５０と、テールピース５０を胴体２０に係止するためのテールガット６０と、弦の振動を胴体に伝達するための駒（ブリッジ）７０を備えている。
【００１９】
胴体２０は、表面にｆ字孔２２ａが表板された表板２２と、表板２２と並行に設けられる裏板２４と、表板２２と裏板２４を連結する側板２６とを備え、全体としてヘルムホルツ共鳴器を形成している。胴体２０は、スプルース、カエデ等の木材やプラスチック等で形成することができる。
【００２０】
弦４０は、胴体の表板の後端から先端の棹方向に向かって、右側から順にＥ線４０ｅ、Ａ線４０ａ、Ｄ線４０ｄ、Ｇ線４０ｇの４本が所定の間隔を配して張設されている。これらの弦４０の音階は、右側から左側に向かって高音から低音となるように、解放時の基本周波数はＥ線４０ｅが最も高く、Ａ線４０ａ、Ｄ線４０ｄ、Ｇ線４０ｇの順で解放時の基本周波数が低下するように設定されている。弦４０の先端は、棹３０の先端に設けられたペグ３２にそれぞれ巻き付けられる。弦４０の後端は、胴体２０の表板２２の後端近傍に配置されるテールピース５０によって係止される。
【００２１】
テールピース５０は、幅広の先端から徐々にその幅が減少する平面台形状の前方部５０ａと、前方部５０ａから連続して形成されている平面長方形状の後方部５０ｂを有している。テールピース５０の表面はその長手方向中心線部分が突出する縦断面円弧形状を有している。図３に示されるように、テールピース５０の裏面には凹部５４が形成されている。このようなテールピース５０は、柘植、黒壇等の木材、プラスチック、金属材料等によって一体的に形成することができる。
【００２２】
テールピースの前方部５０ａには、４個の弦係止用穴５２ｅ、５２ａ、５２ｄ、５２ｇが形成され、これらの弦係止用穴５２ｅ、５２ａ、５２ｄ、５２ｇにそれぞれＥ線４０ｅ、Ａ線４０ａ、Ｄ線４０ｄ、Ｇ線４０ｇの後端が係止される。テールピース５０の裏面の凹部５４の後方部には垂直壁５６が形成されている。この垂直壁５６には、テールピースの幅方向に対称的に、弦係止用穴５２ｅ側に設けられるＥ線側テールガット挿通孔５６ｅと、弦係止用穴５２ｇ側に設けられるＧ線側テールガット挿通孔５６ｇが形成されている。テールガット６０の両端部は後方からテールガット挿通孔５６ｅ、５６ｇに挿通されて係止される。
【００２３】
テールガット６０は直径０．５〜２．５ｍｍ程度の紐状部材である。テールガット６０としては、ナイロン繊維、ポリアクリーレート繊維、ポリエチレン繊維等の機械的強度が高く、伸びの小さい材料を用いることができる。テールピース５０のテールガット挿通孔５６ｅ、５６ｇの後方から外部に突出しているテールガット６０のＵ字状部分は胴体２０の最下端に設けられたエンドピン２８に連結される。これによって、弦４０が胴体２０の表板２２及び棹３０上で所定の張力で張設される。
【００２４】
胴体２０の表板２２の表面の竿３０とテールピース５０の間には、弦４０を支持し、弦４０の振動を胴体に伝達するための駒（ブリッジ）７０が立設されている。駒７０は、厚さ１〜５ｍｍ程度の楓等の木板材で形成することができる。図４に示されるように、駒７０の上端部は円弧状に形成されており、この上端部には、それぞれ、Ｅ線４０ｅ、Ａ線４０ａ、Ｄ線４０ｄ、Ｇ線４０ｇを受けて支持するための、４個のノッチ部７０ｅ、７０ａ、７０ｄ、７０ｇが形成されている。駒７０の下端部には、駒７０を胴体２０の表板２２上に立設するため、ノッチ部７０ｅ側のＥ線側脚部７２ｅと、ノッチ部７０ｇ側のＧ線側脚部７２ｇが形成されている。駒７０の上端部で支持されている弦７０の振動は脚部７２ｅ、７２ｇを経て胴体２０に伝達される。
【００２５】
図４に示されるように、胴体２０の内部において、表板２２の裏面の駒７０のＧ線側脚部７２ｅに対応する部分には、高音用の弦（主としてＥ線）の振動を胴体２０の裏板２４に伝え、表板２２と裏板２４の両方を適切に振動させるための魂柱（サウンドポスト）８２が表板２２の裏板２４を連結するように設けられている。また、表板２２の裏面の駒７０のＧ線側脚部７２ｇに対応する位置には、低音用の弦（主としてＧ線）の張力に対して表板７２を補強すると共に、低音の響きを強め安定させる力木（バスバー）がＧ線に沿って設けられている。各々の弦４０が駒７０に与える荷重はＥ線４０ｅが最も高く、Ａ線４０ａ、Ｄ線４０ｄ、Ｇ線４０ｇの順で低くなっている。
【００２６】
次に、本発明においてテールガット６０をテールピース５０に係止する方法について図５〜図１２を参照して説明する。
【００２７】
図５は、テールガット６０をテールピース５０に係止するために用いられる係止用治具９０を示す。この係止用治具９０は１本の剛性を有する金属ワイヤ等により形成されており、ワイヤが巻回されたリング部９２と、リング部９２の一端から直線状に伸びる挿入部９４とを備えている。リング部９２の外径はテールピース５０の垂直壁５６の幅より小さく、テールピース５０のテールガット挿通孔５６ｅ、５６ｇよりやや大きく形成されている。また、リング部９２の内径はテールガットが２本分挿入できる大きさに形成されている。
【００２８】
この係止用治具９０を用いて、テールガット６０をテールピース５０に係止する方法の第１の例について、図６〜図８を参照して説明する。
まず、図６（ａ）に示されるように、テールガット６０の両端部がテールピース５０の裏面のテールガット挿通孔５６ｅ、５６ｇからテールピース５０の凹部５４内に挿入される。この挿入されたテールガット６０の両端部は、直線部９４が垂直壁５６方向を向くように配置された係止用治具９０のリング内９２に挿通される。
【００２９】
その後、テールガット６０の両端部は止結び（一重結び）され、結び目６４が形成される。この結び目６４はリング部９２の内径より大きい。
【００３０】
この状態で、図６（ｂ）に示されるように、係止用治具９０の直線部９４はテールガットと共に、Ｅ線側テールガット挿通孔５６ｅに挿入される。これよって、図６（ｃ）に示されるように、テールガット６０の結び目６４は、テールガット挿通孔５６ｅ、５６ｇの間の中央位置より、Ｅ線側テールガット挿通孔５６ｅ側に位置することになる。係止用治具９０の直線部９４と共にＥ線側テールガット挿通孔５６ｅに挿入されるテールガットは結び目６４からテールピースの長手方向に沿って直線的に挿通される。他方のテールガットは、結び目６４から垂直壁５６の幅方向に沿って延び、Ｇ線側テールガット挿通孔５６ｇの開口端部と接触して、Ｇ線側テールガット挿通孔５６ｇに挿通される。
【００３１】
次に、上記テールピース５０の作用について説明する。図７に示されるように、テールガット６０のＵ字状部分にバイオリンの下端方向（矢印Ａ方向）の力が掛けられると、テールピース５０の垂直壁５６には、Ｇ線側テールガット挿通孔５６ｇの開口端部と接触するテールガットから時計回転方向（矢印Ｂ方向）の力が掛けられ、その結果、テールピースの先端部分には弦係止用穴５２ｅから弦係止用穴５２ｇ線方向に回動する方向（矢印Ｃ方向）の力が働くことになる。
【００３２】
これをバイオリン及びテールピースの表面からみると、図８に示されるように、テールガット６０のＵ字状部を胴体２０のエンドピン２８に連結すると、弦４０の張力により、テールガット６０のＵ字状部分には矢印Ａ方向の力が働き、テールピース５０の先端部はＥ線４０ｅ方向からＧ線４０ｇ方向に回動する方向の力が働く。これによって、高音側の弦（Ｅ線４０ｅ、Ａ線４０ａ）から駒７０に掛かる荷重は低減され、低音側の弦（Ｄ線４０ｄ、Ｇ線４０ｇ）から駒７０に掛かる荷重は増加される。その結果、駒７０のＥ線側脚部７２ｅから胴体２０に掛かる荷重は低減され、Ｇ線側脚部７２ｇから胴体２０に掛かる荷重は増大されることになる。
【００３３】
次に、テールガット６０をテールピース５０に係止する方法の第２の例について、図９〜図１０を参照して説明する。
まず、図９（ａ）に示されるように、テールガット６０の両端部がテールピース５０の裏面のテールガット挿通孔５６ｅ、５６ｇからテールピース５０の凹部５４内に挿入される。この挿入されたテールガット６０の両端部は、直線部９４が垂直壁５６方向を向くように配置された係止用治具９０のリング内９２に挿通される。
【００３４】
そして、図９（ｂ）に示されるように、テールガット６０の両端部はテールガット挿通孔５６ｇを挿通したテールガットの下をくぐらされる。そして、係止用治具９０の直線部９４はテールガットと共に、Ｅ線側テールガット挿通孔５６ｅに挿入される。これよって、図９（ｃ）に示されるように、係止用治具９０のリング部９２は、Ｅ線側テールガット挿通孔５６ｅの近傍に位置することになる。係止用治具９０の直線部９４と共にＥ線側テールガット挿通孔５６ｅに挿通されるテールガット６０は、係止用治具９０のリング部９２からテールピースの長手方向に沿って直線的に挿通される。他方のテールガットは、リング部９４から垂直壁５６の幅方向に沿って延び、Ｇ線側テールガット挿通孔５６ｇの開口端部と接触して、Ｇ線側テールガット挿通孔５６ｇに挿通される。
【００３５】
上記の方法によりテールピースに係止されたテールガット６０のＵ字状部分にバイオリンの下端方向（矢印Ａ方向）の力が掛けられると、図７に示されるように、テールピース５０の垂直壁５６には、Ｇ線側テールガット挿通孔５６ｇの開口端部と接触するテールガットから時計回転方向（矢印Ｂ方向）の力が掛けられ、その結果、テールピースの先端部分には弦係止用穴５２ｅから弦係止用穴５２ｇ線方向に回動する方向（矢印Ｃ方向）の力が働くことになる。
【００３６】
次に、テールガット６０をテールピース５０に係止する方法の第３の例について、図１１〜図１２を参照して説明する。
まず、図１１（ａ）に示されるように、テールガット６０の両端部がテールピース５０の裏面のテールガット挿通孔５６ｅ、５６ｇからテールピース５０の凹部５４内に挿入される。この挿入されたテールガット６０の両端部は、直線部９４が垂直壁５６方向を向くように配置された係止用治具９０のリング内９２に挿通される。
【００３７】
そして、図１１（ｂ）に示されるように、テールガット６０の両端部はテールガット挿通孔５６ｇを挿通したテールガット６０の下をくぐらされる。
その後、図１１（ｃ）に示されるように、テールガット６０の下をくぐらされたテールガットの先端は、テールガット挿通孔５６ｇを挿通したテールガット６０に巻きつけられる。そして、係止用治具９０の直線部９４はテールガットと共に、Ｅ線側テールガット挿通孔５６ｅに挿入される。これよって、図１１（ｄ）に示されるように、係止用治具９０のリング部９２は、Ｅ線側テールガット挿通孔５６ｅの近傍に位置することになる。係止用治具９０の直線部９４と共にＥ線側テールガット挿通孔５６ｅに挿通されるテールガット６０は、係止用治具９０のリング部９２からテールピースの長手方向に沿って直線的に挿通される。他方のテールガットは、リング部９４から垂直壁５６の幅方向に沿って延び、Ｇ線側テールガット挿通孔５６ｇの開口端部と接触して、Ｇ線側テールガット挿通孔５６ｇに挿通される。
【００３８】
上記の方法によりテールピースに係止されたテールガット６０のＵ字状部分にバイオリンの下端方向（矢印Ａ方向）の力が掛けられると、図１２に示されるように、テールピース５０の垂直壁５６には、Ｇ線側テールガット挿通孔５６ｇの開口端部と接触するテールガットから時計回転方向（矢印Ｂ方向）の力が掛けられ、その結果、テールピースの先端部分には弦係止用穴５２ｅから弦係止用穴５２ｇ線方向に回動する方向（矢印Ｃ方向）の力が働くことになる。
【００３９】
以下、本発明に係るバイオリンの作用について説明する。
弓で４本の弦４０を擦ること又は指で弦４０を弾くことによって弦４０を振動させ、その弦４０の振動を駒７０を通じて胴体２０に伝え、共鳴させて音を出す。このとき、本発明に係るバイオリン１０によれば、テールピース５０の先端にはＥ線方向からＧ線方向に回動する方向の力が働くので、駒７０上端部の高音側及びＥ線側脚部７２ｅに掛かる荷重は低減され、駒７０上端部の低音側及びＧ線側脚部７２ｇに係る荷重を増大される。これによって、弦の張力が高い高音側（Ｅ線、Ａ線）の弦の音質を改善し、高音側の弦の振動を効果的に胴体２０に伝達することができる。また、弦の張力が低い低音側（Ｄ線、Ｇ線）の弦の振動をより効果的に胴体に伝達することができる。
【実施例】
【００４０】
以下、実施例により本発明を具体的に説明する。
【００４１】
（実施例１、実施例２、比較例１）
弦が張設されたバイオリンにおいて、駒７０のＥ線側脚部７２ｅ及びＧ線側脚部７２ｇに係る荷重を測定した。具体的には、図１３に示されるように、胴体２０が板状のエレキバイオリンを用い、駒７０の脚部７２ｅ、７２ｇを、それぞれ、測定用治具９５ｅ、９５ｇに連結した。測定用治具９５ｅ、９５ｇを重量計Ｗに乗せた。絃の張設、調弦後、５分後に、それぞれの脚部７２ｅ、７２ｇに係る荷重を測定した。テールガットは、それぞれ、図７、図１２及び図１５に示される方法によりテールピースに係止された。テールピースとしては、重さ２５ｇの金属製テールピースを用い、テールガットとしては、直径１．８ｍｍのポリアクリレート繊維を用いた。
結果を表１に示す。
【００４２】
【表１】
2017044737.tif 000003
【００４３】
（実施例３、比較例２）
テールガットは、それぞれ、図１２及び図１５に示される方法によりテールピースに係止され、テールガットとしては、直径１．１ｍｍのポリエチレン繊維を用いた他は、上記実施例１等の同様の方法により、駒７０のＥ線側脚部７２ｅ及びＧ線側脚部７２ｇに係る荷重を測定した。
結果を表２に示す。
【００４４】
【表２】
2017044737.tif 000004
【００４５】
表１及び表２から明らかなように、実施例によれば、比較例と比較して、駒のＥ線側脚部に係る荷重が低減され、駒のＧ線側脚部に係る荷重が増大された。また、実施例によれば、比較例よりも、駒のＥ線側にかかる荷重とＧ線側に係る荷重の差が低減された。
【００４６】
尚、本発明は上述した実施形態に限定されるものではなく、その趣旨を逸脱しない範囲で適宜変更して実施することが可能である。例えば、上述した実施形態はバイオリンを対象としているが、本発明はビオラ、チェロ、コントラバス等のテールピースと駒を備えた他の弦楽器として実施することも可能である。
【産業上の利用可能性】
【００４７】
本発明によれば、音量を一定以上に維持しつつ、弦の振動と胴体での共鳴を最適化し、高音側と低音側の音量及び音質のバランスに優れた弦楽器を提供することが可能になる。
【図１】
2017044737.tif 000005
【図２】
2017044737.tif 000006
【図３】
2017044737.tif 000007
【図４】
2017044737.tif 000008
【図５】
2017044737.tif 000009
【図６】
2017044737.tif 000010
【図７】
2017044737.tif 000011
【図８】
2017044737.tif 000012
【図９】
2017044737.tif 000013
【図１０】
2017044737.tif 000014
【図１１】
2017044737.tif 000015
【図１２】
2017044737.tif 000016
【図１３】
2017044737.tif 000017
【図１４】
2017044737.tif 000018
【図１５】
2017044737.tif 000019